(57)【要約】【課題】既設トラスの内部空間に新設トラスを設置する乗客コンベアのリニューアル工法において、従来よりも作業工数の少ないリニューアル工法を提供する。【解決手段】本発明に係る乗客コンベアのリニューアル工法は、新設トラスが複数のトラスセグメント30に分割された状態で、これらのトラスセグメント30を順次、既設トラス１の内部空間に設置していく過程で、各トラスセグメント30に、既設トラス１の上面に配置することが可能な複数の搬送具４を取り付けて、該複数の搬送具４を前記上面に沿って移動させながら、各トラスセグメント30を搬送し、新設トラスを完成する工程を有し、前記搬送具４は、搬送の対象とするトラスセグメントに取り付けられた状態で既設トラスに対する該トラスセグメントの高さ位置を調整するための調整機構を具えている。【選択図】図６
2014189348.tif 000002
【特許請求の範囲】
【請求項１】
既設トラスの内部空間に設置すべき新設トラスが、その長手方向に複数のトラスセグメントに分割された状態で、これらのトラスセグメントを順次、既設トラスの内部空間に設置していく乗客コンベアのリニューアル工法において、
前記複数のトラスセグメントを順次、既設トラスの内部空間に設置していく過程で、搬送の対象とするトラスセグメントに、既設トラスの長手方向に延在する上面に配置することが可能な複数の搬送具を取り付けて、該複数の搬送具を前記上面に沿って移動させながら、各トラスセグメントを搬送し、前後のトラスセグメントどうしを互いに連結することにより、新設トラスを完成する工程
を有し、
前記搬送具は、搬送の対象とするトラスセグメントに取り付けられた状態で既設トラスに対する該トラスセグメントの高さ位置を調整するための調整機構を具えており、
トラスセグメントの搬送時若しくは設置時に、前記調整機構を操作することによって、既設トラスに対する該トラスセグメントの高さ位置を調整することを特徴とする乗客コンベアのリニューアル工法。
【請求項２】
既設トラスに沿ってトラスセグメントを搬送する際、前記調整機構によって既設トラスに対するトラスセグメントの高さ位置を調整する工程と、
既設トラスに沿ってトラスセグメントを所定位置まで搬送した後、前記調整機構によって既設トラスに対するトラスセグメントの高さ位置を調整する工程
とを有している請求項１に記載のリニューアル工法。
【請求項３】
既設トラスの内部空間に設置すべき新設トラスが、その長手方向に複数のトラスセグメントに分割された状態で、これらのトラスセグメントを順次、既設トラスの内部空間に設置していく乗客コンベアのリニューアル工法に用いる搬送具において、
各トラスセグメントに連結すべきベース部材と、
既設トラスの長手方向に延在する上面に沿って移動可能な履体と、
前記ベース部材がトラスセグメントに連結されると共に前記履体が前記既設トラスの上面に配置された状態で、既設トラスに対する該トラスセグメントの高さ位置を調整するための調整機構
とを具えていることを特徴とする、乗客コンベアのリニューアル工法に用いる搬送具。
【請求項４】
前記ベース部材はトラスセグメントの上面と接触可能な取付け面を有すると共に、前記履体は既設トラスの上面と接触可能な踏面を有し、前記調整機構は、
前記ベース部材と履体との間に介在し、ベース部材の取付け面と履体の踏面との間隔を変化させるための第１調整機構と、
前記ベース部材に設けられ、ベース部材がトラスセグメントに連結された状態で該ベース部材の取付け面からトラスセグメントの上面までの距離を変化させるための第２調整機構
とを具えている請求項３に記載の搬送具。
【発明の詳細な説明】
【技術分野】
【０００１】
本発明は、エスカレータ等の乗客コンベアをリニューアルする工法に関するものである。
【背景技術】
【０００２】
従来、エスカレータにおいて、既設トラスを撤去することなく、既設トラスの内部空間に新設トラスを設置し、既設トラスに新設トラスを合体させるリニューアル工法が知られている(特許文献１)。
係るリニューアル工法によれば、リニューアルの工期を短縮することが可能である。
【０００３】
又、この様なリニューアル工法において、新設トラスをその長手方向に複数のトラスセグメントに分割し、これらのトラスセグメントを順次、既設トラスの内部空間に設置していくリニューアル工法が知られている(特許文献２)。
係るリニューアル工法によれば、既設トラスの内部空間を既設トラスに沿って移動させながら、全てのトラスセグメントを既設トラスの内部空間に設置して、これらのトラスセグメントを互いに連結することにより、既設トラスの内部空間に新設トラスを完成することが出来る。
【０００４】
更に又、この様なリニューアル工法において、既設トラスに沿ってトラスセグメントを移動させる工程で、トラスセグメントの前後左右に、既設トラスの上面にて転動可能な車輪を具えた４つの搬送具を取り付け、該搬送具によってトラスセグメントを搬送することが提案されている(特許文献３)。
係るリニューアル工法によれば、新設トラスを構成すべき複数のトラスセグメントを既設トラスに沿って容易に搬送することが出来る。
【先行技術文献】
【特許文献】
【０００５】
【特許文献１】特開昭５８−１５２７７９号公報
【特許文献２】特開２００５−３１４０８５号公報
【特許文献３】特開２０１０−７０３１３号公報
【発明の概要】
【発明が解決しようとする課題】
【０００６】
しかしながら、従来のリニューアル工法においては、搬送の対象とするトラスセグメントに４つの搬送具を取り付け、該トラスセグメントを所定位置まで搬送した後、該トラスセグメントをチェーンブロックで吊り上げた状態で、該トラスセグメントから４つの搬送具を取り外し、その後、チェーンブロックを用いて該トラスセグメントの高さ調整を行なうことにより、該トラスセグメントを既設トラスに対して所定の高さ位置に設定し、この状態で、該トラスセグメントを前方の設置済みのトラスセグメントと連結することが行なわれるため、搬送具を用いた搬送作業とは別に、チェーンブロックによる高さ調整を含む設置作業が必要となって、搬送作業から設置作業への段取り替えのために作業工数が多くなる問題があった。
【０００７】
そこで本発明の目的は、新設トラスがその長手方向に複数のトラスセグメントに分割された状態で、これらのトラスセグメントを順次、既設トラスの内部空間に設置していく乗客コンベアのリニューアル工法において、従来よりも作業工数の少ないリニューアル工法、並びにこの工法に用いる搬送具を提供することである。
【課題を解決するための手段】
【０００８】
本発明に係る乗客コンベアのリニューアル工法は、既設トラスの内部空間に設置すべき新設トラスが、その長手方向に複数のトラスセグメントに分割された状態で、これらのトラスセグメントを順次、既設トラスの内部空間に設置していくものであって、
前記複数のトラスセグメントを順次、既設トラスの内部空間に設置していく過程で、搬送の対象とするトラスセグメントに、既設トラスの長手方向に延在する上面に配置することが可能な複数の搬送具を取り付けて、該複数の搬送具を前記上面に沿って移動させながら、各トラスセグメントを搬送し、前後のトラスセグメントどうしを互いに連結することにより、新設トラスを完成する工程
を有し、
前記搬送具は、搬送の対象とするトラスセグメントに取り付けられた状態で既設トラスに対する該トラスセグメントの高さ位置を調整するための調整機構を具えている。
【０００９】
上記リニューアル工法によれば、既設トラスに沿ってトラスセグメントを搬送する際、前記調整機構によって既設トラスに対するトラスセグメントの高さ位置を調整する。これによって、搬送時にトラスセグメントが既設トラスと干渉することを回避することが出来る。
その後、既設トラスに沿ってトラスセグメントを所定位置まで搬送した時点で、前記調整機構によって既設トラスに対するトラスセグメントの高さ位置を調整する。これによって、トラスセグメントが所定の高さ位置に設定され、前方の設置済みのトラスセグメントとの連結が可能となる。
【００１０】
本発明に係る乗客コンベアのリニューアル工法に用いる搬送具は、
各トラスセグメントに連結すべきベース部材と、
既設トラスの長手方向に延在する上面に沿って移動可能な履体と、
前記ベース部材がトラスセグメントに連結されると共に前記履体が既設トラスの上面に配置された状態で既設トラスに対する該トラスセグメントの高さ位置を調整するための調整機構
とを具えている。
尚、前記履体としては、車輪やそり部材を採用することが出来る。
【００１１】
上記搬送具によれば、既設トラスに沿ってトラスセグメントを搬送する際、前記調整機構によって既設トラスに対するトラスセグメントの高さ位置を調整した後、トラスセグメントが所定位置まで搬送された時点で、前記調整機構によって既設トラスに対するトラスセグメントの高さ位置を調整することが出来る。
【００１２】
搬送具の具体的態様において、前記ベース部材はトラスセグメントの上面と接触可能な取付け面を有すると共に、前記履体は既設トラスの上面と接触可能な踏面を有し、前記調整機構は、
前記ベース部材と履体との間に介在し、ベース部材の取付け面と履体の踏面との間隔を変化させるための第１調整機構と、
前記ベース部材に設けられ、ベース部材がトラスセグメントに連結された状態で該ベース部材の取付け面からトラスセグメントの上面までの距離を変化させるための第２調整機構
とを具えている。
【００１３】
尚、履体として車輪を採用した場合、該履体の踏面は車輪の外周面であり、履体としてそり部材を採用した場合、該履体の踏面はそり部材の滑動面である。
【００１４】
該搬送具によれば、既設トラスに沿ってトラスセグメントを搬送する際、前記第１調整機構によって既設トラスに対するトラスセグメントの高さ位置を調整した後、トラスセグメントが所定位置まで搬送された時点で、前記第２調整機構によって既設トラスに対するトラスセグメントの高さ位置を調整することが出来る。
【発明の効果】
【００１５】
本発明に係る乗客コンベアのリニューアル工法及び該工法に用いる搬送具によれば、トラスセグメントに搬送具を取り付けたままで、該搬送具によって、トラスセグメントの搬送作業と、搬送後のトラスセグメントの高さ調整を含む設置作業とを実施することが出来るので、搬送作業から設置作業への段取り替えが不要であり、これによって、従来よりも少ない作業工数でリニューアルを完了することが出来る。
【図面の簡単な説明】
【００１６】
【図１】図１は、本発明のリニューアル工法における第１工程を示す斜視図である。
【図２】図２は、該リニューアル工法における第２工程を示す斜視図である。
【図３】図３は、該リニューアル工法における第３工程を示す斜視図である。
【図４】図４は、該リニューアル工法における第４工程を示す斜視図である。
【図５】図５は、該リニューアル工法における第５工程を示す斜視図である。
【図６】図６は、本発明の搬送具を示す斜視図である。
【図７】図７は、該搬送具の側面図である。
【図８】図８は、該搬送具の正面図である。
【図９】図９は、該搬送具による調整を説明する図である。
【図１０】図１０は、搬送具の他の構成例を示す側面図である。
【図１１】図１１は、該構成例の正面図である。
【図１２】図１２は、搬送具の更に他の構成例を示す側面図である。
【図１３】図１３は、該構成例の正面図である。
【図１４】図１４は、搬送具の更に他の構成例を示す側面図である。
【図１５】図１５は、該構成例の正面図である。
【図１６】図１６は、屈曲トラスセグメントの前後にそれぞれ搬送具を取り付けた状態を示す側面図である。
【図１７】図１７は、傾斜調整部材が装着された後方の搬送具の側面図である。
【図１８】図１８は、傾斜調整部材が装着された前方の搬送具の側面図である。
【図１９】図１９は、本発明のリニューアル工法において、トラスセグメントが順次、既設トラスに沿って搬送される第１の過程を示す一連の側面図である。
【図２０】図２０は、該リニューアル工法において、トラスセグメントが順次、既設トラスに沿って搬送される第２の過程を示す一連の側面図である。
【図２１】図２１は、該リニューアル工法において、トラスセグメントが順次、既設トラスに沿って搬送される第３の過程を示す一連の側面図である。
【図２２】図２２は、該リニューアル工法において、トラスセグメントが順次、既設トラスに沿って搬送される第４の過程を示す一連の側面図である。
【図２３】図２３は、該リニューアル工法において、トラスセグメントが順次、既設トラスに沿って搬送される第５の過程を示す一連の側面図である。
【図２４】図２４は、該リニューアル工法において、トラスセグメントが順次、既設トラスに沿って搬送される第６の過程を示す一連の側面図である。
【図２５】図２５は、該リニューアル工法において、トラスセグメントが順次、既設トラスに沿って搬送される第７の過程を示す一連の側面図である。
【図２６】図２６は、既設トラスを示す側面図である。
【図２７】図２７は、新設トラスを構成する複数のトラスセグメントを示す側面図である。
【発明を実施するための形態】
【００１７】
以下、本発明をエスカレータのリニューアル工法に実施した形態につき、図面に沿って具体的に説明する。尚、以下の説明では、トラスの長手方向に沿って下階から上階へ向かう方向を「前方」、その逆方向を「後方」と称する。
【００１８】
本発明の一実施形態であるエスカレータのリニューアル工法は、既設トラスを撤去することなく既設トラスの内部空間に新設トラスを設置するものであって、先ず、第１工程では、図１及び図２６に示す如くエスカレータから既設トラス(１)以外の部品や機器(駆動装置、ステップ、手摺り駆動機構、制御機器等)を撤去し、既設トラス(１)のみを残す。
既設トラス(１)は、上階側水平部(11)、傾斜部(12)及び下階側水平部(13)から構成されており、上階側水平部(11)から傾斜部(12)を経て下階側水平部(13)まで延在する上面(1a)を有している。
【００１９】
又、図２７に示す如く、新設トラス(３)をその長手方向に、上階側水平トラスセグメント(31)と、上階側屈曲トラスセグメント(32)と、複数の中間トラスセグメント(33)(33)と、下階側屈曲トラスセグメント(34)と、下階側水平トランスセグメント(35)に分割する。
【００２０】
尚、これらのトラスセグメント(31)〜(35)には、エスカレータを構成すべき複数の部品や機器の内、予め搭載可能な複数の部品や機器(駆動装置、駆動輪、ガイドレール等)が搭載されている。
又、図２７は、新設トラス(３)の１つの分割例を示すものであって、新設トラス(３)の全長等に応じて適切な分割形態が採用される。
以下の説明においては、新設トラス(３)を構成するトラスセグメント(31)〜(35)を適宜、トラスセグメント(30)と総称する。
【００２１】
次に、第２工程では、図２に示す如く既設トラス(１)の下階側水平部(13)に門型揚重装置(２ａ)を設置すると共に、既設トラス(１)の上階側水平部(11)に門型揚重装置(２ｂ)を設置する。
【００２２】
続いて、第３工程では、図３に示す如く下階側の門型揚重装置(２ａ)と上階側の門型揚重装置(２ｂ)に設けられているチェーンブロック(20)を用いて、トラスセグメント(30)を既設トラス(１)の上面に沿って引き上げる。
ここで、トラスセグメント(30)には、前後左右の４箇所にそれぞれ、搬送具(４)が取り付けられており、該４つの搬送具(４)を既設トラス(１)の全長に亘って延在する上面に配置し、該上面に沿って移動させることにより、トラスセグメント(30)を搬送する。
【００２３】
搬送具(４)は、図６に示す如く、トラスセグメント(30)の上面に締結固定されるべき平板状のベース部材(41)と、既設トラス(１)の上面(1a)に沿って滑動可能なそり部材(43)と、ベース部材(41)とそり部材(43)の間に介在する伸縮機構(42)とを具えている。
【００２４】
図８に示す如く、ベース部材(41)の裏面には、トラスセグメント(30)の上面に接触可能な取付け面(41a)が形成されている。
又、そり部材(43)は、図７及び図８に示す如く、伸縮機構(42)の下端部にアングル部材(46)を介して固定されている。
【００２５】
そり部材(43)は、既設トラス(１)の上面に対向して、図７に示す３つの滑動面(43a)(43b)(43b)を有し、中央の主滑動面(43a)の前後に２つの補助滑動面(43b)(43b)が形成されており、両補助滑動面(43b)(43b)はそれぞれ主滑動面(43a)に対して一定の後退角をもって傾斜している。
【００２６】
搬送具(４)が既設トラス(１)の上面の平坦な領域を移動する過程では、そり部材(43)の主滑動面(43a)が既設トラス(１)の上面に摺接するが、搬送具(４)が既設トラス(１)の上面の凸部を乗り越える過程では、先ず、そり部材(43)の前方の補助滑動面(43b)が既設トラス(１)の凸部に摺接して、該凸部を乗り越え、その後、主滑動面(43a)が既設トラス(１)の凸部に摺接して、該凸部を乗り越え、最後に後方の補助滑動面(43b)が既設トラス(１)の凸部に摺接して、該凸部を乗り越えることになる。
【００２７】
図７及び図８に示す如く、伸縮機構(42)は、ベース部材(41)の裏面に連結された外筒(421)と、アングル部材(46)の上面に連結された内筒(422)とから構成され、外筒(421)と内筒(422)が筒軸方向に沿って互いに摺動可能に嵌合している。
又、外筒(421)には筒軸方向に長い長孔(48)が開設される一方、内筒(422)にはボルト(47)がねじ込まれ、該ボルト(47)の頭部が長孔(48)に嵌合して、外筒(421)に対する内筒(422)の摺動が案内され、且つ内筒(422)の脱落が防止されている。
【００２８】
そして、ベース部材(41)には、第１調整ボルト(44)がねじ込まれ、該第１調整ボルト(44)の先端面が内筒(422)の端面に当接している。
従って、第１調整ボルト(44)をベース部材(41)に対してねじ込むことにより、該第１調整ボルト(44)の先端面が内筒(422)の端面を押圧し、これによって外筒(421)と内筒(422)とが互いに離間方向に相対移動して、伸縮機構(42)が伸長し、その長さＡが大きくなる。
【００２９】
逆に、第１調整ボルト(44)をねじ戻すことによって、外筒(421)と内筒(422)とが互いに接近方向に相対移動可能となり、トラスセグメント(30)の重量によって伸縮機構(42)が収縮し、その長さＡが小さくなる。
【００３０】
又、ベース部材(41)には第２調整ボルト(45)がねじ込まれ、ベース部材(41)を貫通した第２調整ボルト(45)の先端部にはナット(49)(49)が螺合している。
第２調整ボルト(45)は、図９(ａ)に示す如くベース部材(41)がトラスセグメント(30)の上面に設置された状態で該トラスセグメント(30)を貫通し、その先端部のナット(49)(49)の締め付けによって、ベース部材(41)をトラスセグメント(30)に固定することが出来る。
【００３１】
４つの搬送具(４)のベース部材(41)をそれぞれトラスセグメント(30)の前後左右に締結固定した状態で、４つの搬送具(４)のそり部材(43)を既設トラス(１)の上面に沿って滑動させる際には、第１調整ボルト(44)の操作によって図９(ａ)に示す伸縮機構(42)の長さＡを変化させることにより、既設トラス(１)の上面(1a)とトラスセグメント(30)の上面との間隔Ｂを調整する。
これによって、トラスセグメント(30)を既設トラス(１)と干渉させることなく、既設トラス(１)の内部空間にてトラスセグメント(30)を搬送することが出来る。
【００３２】
トラスセグメント(30)を既設トラス(１)の上面(1a)に沿って所定の位置まで搬送した後、ベース部材(41)に対するトラスセグメント(30)の締結を緩めると共に、図９(ｂ)に示す第２調整ボルト(45)を操作して、ベース部材(41)に対するねじ込み量を増減させることによって、既設トラス(１)の内部空間にてトラスセグメント(30)を昇降させ、既設トラス(１)の上面(1a)とトラスセグメント(30)の上面との間隔Ｂ′を調整する。この際、第１調整ボルト(44)を操作して、既設トラス(１)の上面(1a)とトラスセグメント(30)の上面との間隔Ｂ′を調整することも可能である。
【００３３】
これによって、トラスセグメント(30)を既設トラス(１)の内部空間にて所定の高さ位置に設定することが出来る。
この結果、トラスセグメント(30)を前方の設置済みのトラスセグメント(30)と連結することが可能となる。
【００３４】
上述の如く、搬送対象となるトラスセグメント(30)に４つの搬送具(４)を取り付け、これら４つの搬送具(４)を既設トラス(１)の上面に沿って移動させながら、各トラスセグメント(30)を搬送し、前後のトラスセグメント(30)(30)どうしを互いに連結することにより、図４に示す如く、既設トラス(１)の内部空間に新設トラス(３)を完成する。
【００３５】
最後に、第４工程では、図５の如く既設トラス(１)から下階側門型揚重装置(２ａ)及び上階側門型揚重装置(２ｂ)を撤去した後、新設トラス(３)に対して必要な部品や機器(ステップ、手摺り、制御機器等)を取り付けることにより、エスカレータのリニューアルを完了する。
【００３６】
図１９〜図２５は、下階側門型揚重装置(２ａ)及び上階側門型揚重装置(２ｂ)を用いて、複数のトラスセグメント(30)を順次、既設トラス(１)の上面に沿って移動させて、新設トラス(３)を完成するまでの一連の引き上げ及び設置作業を示している。
【００３７】
即ち、図１９(ａ)〜図２０(ｃ)は、上階側水平トラスセグメント(31)の搬送及び設置作業を示し、図２０(ｃ)〜図２１(ｃ)は、上階側屈曲トラスセグメント(32)の搬送及び設置作業を示し、図２２(ａ)〜(ｄ)は、１つ目の中間トラスセグメント(33)の搬送及び設置作業を示し、図２３(ａ)〜(ｃ)は、２つ目の中間トラスセグメント(33)の搬送及び設置作業を示し、図２４(ａ)〜(ｄ)は、下階側屈曲トラスセグメント(34)の設置作業を示し、図２５(ａ)〜(ｃ)は、下階側水平トランスセグメント(35)の設置作業を示している。
【００３８】
この過程で、トラスセグメント(30)を引き上げる度に該トラスセグメント(30)の高さ調整を行なった後、該トラスセグメント(30)を前方の設置済みのトラスセグメント(30)と連結すると共に、必要に応じて該トラスセグメント(30)を既設トラス(１)と連結する。
【００３９】
そして、トラスセグメント(30)の引き上げ及び設置が終了する度に、又は、トラスセグメント(30)の引き上げ及び設置が全て完了した後、トラスセグメント(30)に取り付けられている４つの搬送具(４)を取り外す。
この際、搬送具(４)の伸縮機構(42)を収縮させれば、搬送具(４)は容易に取り外すことが出来る。
【００４０】
上記エスカレータのリニューアル工法によれば、トラスセグメント(30)に４つの搬送具(４)を取り付けて、該搬送具(４)のそり部材(43)を既設トラス(１)の上面に沿って滑動させることにより、トラスセグメント(30)を移動させることが出来るので、トラスセグメント(30)の搬送は容易なものとなる。
又、搬送具(４)において、そり部材(43)はベース部材(41)に対して一体的に設けられているので、トラスセグメント(30)の搬送時に大きな負荷が作用したとしても、搬送具(４)が破損する虞は殆どなく、メンテナンスも容易である。
【００４１】
更に又、トラスセグメント(30)に搬送具(４)を取り付けたままで、該搬送具(４)によって、トラスセグメント(30)の搬送作業と、搬送後のトラスセグメント(30)の高さ調整を含む設置作業とを実施することが出来るので、搬送作業から設置作業への段取り替えが不要であり、これによって、従来よりも少ない作業工数でリニューアルを完了することが出来る。
【００４２】
図１０及び図１１は、搬送具(４)の他の構成例を示している。
該搬送具(４)においては、伸縮機構(42)とアングル部材(46)との間に、揺動機構(400)が介在している。該揺動機構(400)は、伸縮機構(42)の内筒(422)の下端面に下向きに突設された第１軸部(401)と、アングル部材(46)の上面に上向きに突設された第２軸部(402)と、両軸部(401)(402)を互いに連結する枢軸(403)とから構成され、ベース部材(41)に対してそり部材(43)を前後方向に揺動させるものである。
【００４３】
該搬送具(４)によれば、既設トラス(１)の上面に凸部が存在する場合に、該凸部を通過する過程でそり部材(43)が前後に揺動することにより、凸部を更に容易に乗り越えることが出来る。
【００４４】
又、図１２及び図１３は、搬送具(４)の更に他の構成例を示している。
該搬送具(４)においては、伸縮機構(42)とアングル部材(46)との間に、揺動機構(400)が介在すると共に、該揺動機構(400)の前後にバネ(404)(404)が介在している。
【００４５】
該搬送具(４)によれば、既設トラス(１)の上面に存在する凸部を通過する過程でそり部材(43)が揺動したとき、前後のバネ(404)(404)の弾性反発力によってそり部材(43)の姿勢が元の姿勢に迅速に復帰することになる。
【００４６】
図１４及び図１５に示す搬送具(40)は、上述のそり部材(43)に代えて車輪(411)を具えたものであって、アングル部材(46)の垂直壁部に車軸(410)が水平に突設され、該車軸(410)に軸受け(図示省略)を介して車輪(411)が取り付けられている。
又、ベース部材(41)とアングル部材(46)との間には、上述の伸縮機構(42)が介在し、ベース部材(41)には、上述の第１調整ボルト(44)と第２調整ボルト(45)がねじ込まれている。
【００４７】
この様な搬送具(40)においても、トラスセグメント(30)の搬送及び設置時に第１調整ボルト(44)と第２調整ボルト(45)を操作することにより、既設トラス(１)に対するトラスセグメント(30)の高さ位置を調整することが可能である。
【００４８】
ところで、図２０(ｃ)〜図２１(ｃ)に示す如く上階側屈曲トラスセグメント(32)を搬送する場合には、図１６に示す如く、前方の搬送具(４)に第１の傾斜調整部材(431)を装着すると共に、後方の搬送具(４)に第２の傾斜調整部材(441)を装着する。
【００４９】
後方の搬送具(４)に装着すべき傾斜調整部材(441)は、図１７に示す如く搬送具(４)のベース部材(41)の裏面(取付け面)に取り付けられ、この状態で、上階側屈曲トラスセグメント(32)の上面に接触すべき斜面(440)が形成される。
【００５０】
又、前方の搬送具(４)に装着すべき傾斜調整部材(431)は、図１８に示す如く搬送具(４)のベース部材(41)の裏面(取付け面)に支持フレーム(433)を介して取り付けられ、この状態で、上階側屈曲トラスセグメント(32)の上面に接触すべき斜面(430)が形成される。
該傾斜調整部材(431)には、トラスセグメント(30)と締結すべき一対のフランジ部材(432)(432)が突設されている。
【００５１】
図１６に示す如く、上階側屈曲トラスセグメント(32)の前後に、第１の傾斜調整部材(431)を具えた搬送具(４)と、第２の傾斜調整部材(441)を具えた搬送具(４)とを取り付けた状態で、両搬送具(４)(４)のそり部材(43)(43)は、既設トラス(１)に対して同じ姿勢となり、両そり部材(43)(43)の主滑動面が既設トラス(１)の上面に同時に摺接することが可能となる。
従って、上階側屈曲トラスセグメント(32)を既設トラス(１)の上面に沿ってスムーズに搬送することが出来る。
【００５２】
尚、本発明の各部構成は上記実施の形態に限らず、特許請求の範囲に記載の技術的範囲内で種々の変形が可能である。例えば、上記実施形態では、既設トラスに対するトラスセグメントの高さ位置を調整するために伸縮機構(42)やねじ機構を採用しているが、これに限らず、周知の種々の機構を採用することが出来る。
【００５３】
又、上記実施形態では、既設トラス(１)に沿って新設トラス(３)の各トラスセグメント(30)を順次、下から上へ引き上げているが、各トラスセグメント(30)を順次、上から下へ降ろしていく工法を採用することも可能である。
【００５４】
又、上記実施形態では、工場にて新設トラス(３)を完成させた後、該新設トラス(３)を複数のトラスセグメント(30)に分割し、これらのトラスセグメント(30)をリニューアル工事の現場に搬入することとしているが、新設トラス(３)を構成すべき複数のトラスセグメント(30)を工場にて別々に製造した後、工場ではこれらのトラスセグメント(30)を組み立てることなく、リニューアル工事の現場に搬入することも可能である。
【００５５】
更に本発明は、エスカレータに限らず、動く歩道の如く水平方向に乗客を搬送する乗客コンベアに実施することも可能である。
【符号の説明】
【００５６】
(１)  既設トラス
(２ａ)  下階側門型揚重装置
(２ｂ)  上階側門型揚重装置
(20)  チェーンブロック
(３)  新設トラス
(30)  トラスセグメント
(４)  搬送具
(41)  ベース部材
(42)  伸縮機構
(43)  そり部材
(44)  第１調整ボルト
(45)  第２調整ボルト
【図１】
2014189348.tif 000003
【図２】
2014189348.tif 000004
【図３】
2014189348.tif 000005
【図４】
2014189348.tif 000006
【図５】
2014189348.tif 000007
【図６】
2014189348.tif 000008
【図７】
2014189348.tif 000009
【図８】
2014189348.tif 000010
【図９】
2014189348.tif 000011
【図１０】
2014189348.tif 000012
【図１１】
2014189348.tif 000013
【図１２】
2014189348.tif 000014
【図１３】
2014189348.tif 000015
【図１４】
2014189348.tif 000016
【図１５】
2014189348.tif 000017
【図１６】
2014189348.tif 000018
【図１７】
2014189348.tif 000019
【図１８】
2014189348.tif 000020
【図１９】
2014189348.tif 000021
【図２０】
2014189348.tif 000022
【図２１】
2014189348.tif 000023
【図２２】
2014189348.tif 000024
【図２３】
2014189348.tif 000025
【図２４】
2014189348.tif 000026
【図２５】
2014189348.tif 000027
【図２６】
2014189348.tif 000028
【図２７】
2014189348.tif 000029